(57)【要約】【課題】  リール状部材に係止ピンを係止したロープを巻き付けて保持する際、係止ピンを傷めることなく複数本の係止ピン付きロープを巻き回保持可能とすること、特に巻き付けたロープの最外側の係止ピンの傷つきを防止することを課題とする。【解決手段】  帆立貝係止ピンを、所定ピッチで多数横断貫通させて保持させたロープを巻き取って、保持する帆立貝係止ピン付きロープの巻き取りリール１であって、巻き取りリール１は、中心部に配設された円筒状の巻胴２と、巻胴の軸方向両端部に放射状に設けられた複数の放射リブ４…と、該放射リブの先端部で保持した軸方向に厚さのある円環体７とからなり、円環体の軸方向の厚さを、巻胴に巻き取ったロープの最外側のものから該ロープの径方向外方に突出した係止ピンの突出長さと略々同じか、これよりも大きく設定した帆立貝係止ピン付きロープの巻き取りリール。【選択図】      図１
0003114450.tif 000002
【実用新案登録請求の範囲】
【請求項１】
帆立貝係止ピンを、所定ピッチで多数横断貫通させて保持させたロープを巻き取って、保持する帆立貝係止ピン付きロープの巻き取りリールであって、
該巻き取りリールは、中心部に配設された円筒状の巻胴と、該巻胴の軸方向両端部に放射状に設けられた複数の放射リブと、該放射リブの先端部で保持した軸方向に厚さのある円環体とからなり、
前記円環体の軸方向の厚さを、巻胴に巻き取ったロープの最外側のものから該ロープの径方向外方に突出した係止ピンの突出長さと略々同じか、これよりも大きく設定した、
ことを特徴とする帆立貝係止ピン付きロープの巻き取りリール。
【請求項２】
前記放射リブには、径方向に所定ピッチでロープの端部を係止する係止部を複数設けたことを特徴とする請求項１記載の帆立貝係止ピン付きロープの巻き取りリール。
【請求項３】
前記円環体の軸方向端縁部には、軸方向外方に突出する凸部を円周方向に離間して複数設け、該凸部間に他のリールの凸部と係合する凹部を設けたことを特徴とする請求項１、または請求項２記載の帆立貝係止ピン付きロープの巻き取りリール。
【請求項４】
前記巻胴の中心部には、巻き取りリールを回転可能に保持する芯材を軸方向に内装させたことを特徴とする請求項１〜請求項３の何れか１項に記載の帆立貝係止ピン付きロープの巻き取りリール。
【考案の詳細な説明】
【技術分野】
【０００１】
本考案は、帆立貝の養殖に用いる係止ピンをロープにセットした状態で保持する帆立貝係止ピン付きロープの巻き取りリールに関するものである。
【背景技術】
【０００２】
樹脂製の係止ピンを多数所定ピッチを開けてロープに通し、係止ピンの両端部に帆立貝を係止し、海中に該ロープを垂らし、帆立貝の養殖を行う技術は従来から知られている。
従来この種の技術として帆立貝のロープへの係止方法が知られている（例えば、特許文献１参照。）。
【特許文献１】特開平１０−１６５０３６号公報
【０００３】
特許文献１の技術は、同公報の図１０，図１１に示す通り、ロープを挟んで帆立貝の稚貝の耳片を向かい合わせ、ドリルで一方の稚貝の耳片、ロープ、他方の稚貝の耳片と穿孔し、係止ピンを耳片、ロープの孔に通し、ロープに係止ピンを係止させつつ係止ピン両端部に稚貝耳片を係止するものである。
【０００４】
以上の特許文献１の技術では、係止ピンに係止する稚貝の大きさ、特に耳片の大きさが同大か、或いは略々同大である必要がある。
しかし、実際の稚貝取り付け作業では、稚貝の大きさは不揃いであり、ロープを挟んで稚貝の耳片を向かい合わせても、耳片に正確に穿孔し難いこと等の不都合があり、稚貝の大きさを揃えてロープに取り付け作業することは難しい。
【０００５】
そこで、ロープに穿孔し、係止ピンを所定ピッチで貫通、係止し、多数の係止ピンを保持したロープをストックしておき、このロープを引き出し、帆立貝の稚貝の耳片に穿孔し、係止ピン両端部の尖鋭抜け止め部に帆立貝を係止すれば、帆立貝の稚貝の大きさにバラツキがあっても、ロープの係止ピンに帆立貝を効率良く、大きさの大小にかかわらず係止させ、養殖を効率良く行うことができる。
【０００６】
ところで、ロープに多くの係止ピンを係止した状態でストックするため、ロープを巻き回してストックした際、係止ピン相互が接触して絡んだり、係止ピンが捻れて変形したりし、係止ピンが破損する虞がある。
また、係止ピン付きロープをリール状部材に巻き回した際、最外側のロープから外方に突出する係止ピン端部が傷んで破損したり、複数本のロープを同じリールに巻き回した際、ロープ相互の係止ピンが絡んで傷み、破損したりする虞があり、更に係止ピン付きロープを巻き回したリール状部材のストック上の課題もある。
【考案の開示】
【考案が解決しようとする課題】
【０００７】
本考案は、リール状部材に係止ピンを係止したロープを巻き付けて保持する際、係止ピンを傷めることなく複数本の係止ピン付きロープを巻き回保持可能とすること、巻き付けたロープの最外側の係止ピンの傷つきを防止すること、また、巻き回したロープの解しを容易に、確実に行い得るようにし、帆立貝の係止ピンへの係止作業（取り付け作業）を容易化し、作業効率の向上を図ることを可能とするとともに、係止ピン付きロープを巻き回したリールを、係止ピンが相互干渉することなく段積み可能とし、省スペースのストック上も有利である帆立貝係止ピン付きロープの巻き取りリールを提供することを課題とする。
【課題を解決するための手段】
【０００８】
請求項１に係る考案は、帆立貝係止ピンを、所定ピッチで多数横断貫通させて保持させたロープを巻き取って、保持する帆立貝係止ピン付きロープの巻き取りリールであって、該巻き取りリールは、中心部に配設された円筒状の巻胴と、該巻胴の軸方向両端部に放射状に設けられた複数の放射リブと、該放射リブの先端部で保持した軸方向に厚さのある円環体とからなり、前記円環体の軸方向の厚さを、巻胴に巻き取ったロープの最外側のものから該ロープの径方向外方に突出した係止ピンの突出長さと略々同じか、これよりも大きく設定したことを特徴とずる。
【０００９】
請求項２に係る考案は、請求項１において、前記放射リブには、径方向に所定ピッチでロープの端部を係止する係止部を複数設けたことを特徴とする。
【００１０】
請求項３に係る考案は、請求項１、または請求項２において、前記円環体の軸方向端縁部には、軸方向外方に突出する凸部を円周方向に離間して複数設け、該凸部間に他のリールの凸部と係合する凹部を設けたことを特徴とする。
【００１１】
請求項４に係る考案は、請求項１〜請求項３の何れか１項において、前記巻胴の中心部には、巻き取りリールを回転可能に保持する芯材を軸方向に内装させたことを特徴とする。
【考案の効果】
【００１２】
請求項１に係る考案では、中心部に配設された円筒状の巻胴と、該巻胴の軸方向両端部に放射状に設けられた複数の放射リブと、該放射リブの先端部で保持した軸方向に厚さのある円環体とで、巻き取りリールを構成し、円環体の軸方向の厚さを、巻胴に巻き取ったロープの最外側のものから該ロープの径方向外方に突出した係止ピンの突出長さと略々同じか、これよりも大きく設定したので、係止ピン先端がリールから突出せず、リールを横向き姿勢としてストックし、或いは複数のリールを上下に段積みしても、ロープに係止した係止ピンを傷めることが無いこと、以上により、ロープに係止した係止ピンの保護を期しつつ複数のロープを巻き回保持することができ、またリールで係止ピン付きロープを巻き回保持することでリールを回転させてロープを引き出すことができ、係止ピンに帆立貝の係止（耳吊り）を容易に行うことができ、帆立貝の効率の良い係止作業、帆立貝係止作業性の向上、係止作業の容易化を図ることができる。
【００１３】
請求項２に係る考案では、請求項１において、放射リブに径方向に所定ピッチでロープの端部を係止する係止部を複数設けたので、請求項１の効果に加えるに、係止ピンを係止させたロープ端部を放射リブに係止し、ロープ端部を位置決め保持し、巻胴にロープを巻き付けるので、係止ピン相互が絡むことなく、係止ピンを傷めることがない。
【００１４】
請求項３に係る考案では、請求項１、または請求項２において、円環体の軸方向端縁部に軸方向外方に突出する凸部を円周方向に離間して複数設け、凸部間に他のリールの凸部と係合する凹部を設けたので、請求項１、または請求項２の効果に加えるに、
リールの積み重ね、段積み時に円環体の凹凸部が相互に係合することで、横ズレを防止し、係止ピンを傷めることなく、リールの積み重ね、上下の段積みが行える。
【００１５】
請求項４に係る考案では、請求項１〜請求項３の何れか１項において、巻胴の中心部には、巻き取りリールを回転可能に保持する芯材を軸方向に内装させたので、請求項１〜３項何れか１項の効果に加えるに、回転機構にリールを装着、保持させることで、リールへの係止ピン付きロープの巻き付け作業、帆立貝係止時のロープの解き作業を円滑、容易に行うことができる。
【考案を実施するための最良の形態】
【００１６】
本考案を実施するための最良の形態を添付図に基づいて以下に説明する。なお、図面は符号の向きに見るものとする。
図１〜図３は、本考案に係るリールを示し、図１はリールの全体斜視図、図２は正面図、図３は縦断側面図である。
これら図１〜図３を参照しつつ本考案に係るリールを説明する。
【００１７】
リール１は中心部に軸方向に長さを有する円筒状の巻胴２を有し、巻胴２はある程度の径（例えば１００mm程度）を有する。巻胴２内の中心部に、小径円筒状の芯部材３を軸方向に貫通設置する。
巻胴２の両端寄り部分には、放射状に夫々が同長の放射リブ４，４…（…は複数を表す。以下同じ）を設ける。
【００１８】
放射リブ４，４…は板状部材であり、中心の芯部材３の外周に基端部４ａを植設するように径方向外方に突出し、外側の巻胴２を貫通して径方向外方に延出する。
放射リブ４，４…の各軸方向各外方の端縁部には、長さ方向（リールの径方向）に所定ピッチで蟻溝状の係止部（係止凹部）５…を所定ピッチで設ける。
また、中央部の巻胴２の両端部２ａ，２ａには、円周方向に所定ピッチで同様の係止部（係止凹部）６…を設ける。
【００１９】
放射リブ４，４…の外端部４ｂには、環状部材からなる円環体７，７を結合、支持させ、円環体７，７は、巻胴２の軸方向両端部周の外側に同心に配置される。
円環体７，７は、軸方向に所定幅Ｗ（所定長さ、所定厚さ）のある板状部材で構成され、円周方向に所定ピッチで凹凸を形成する。
【００２０】
円環体７，７の円周方向に所定ピッチ間隔で、幅方向（リールの軸方向）に突出する凸部８…を設け、該凸部８…間には、該凸部８…と係合する凹部９…を設ける。
凸部８…は円周方向に所定長さ（Ｌ１）を有し、凹部９…の円周方向の長さ（Ｌ２）及び深さ（Ｗ２）（軸方向の潜り量）は、凸部８…の円周方向長（Ｌ１）さ、突出量（Ｗ１）と密に係合する長さ及び深さとする。
【００２１】
図４は、リール１の巻胴２の外周２ａにロープ２０を巻き付けた状態を説明する要部拡大縦断側面図である。
ロープ２０はリール１の巻胴２の外周にロープ２０を巻き付ける。ロープ２０は複数本巻き付け、例えば、ロープ２０は径が６〜８mmで、長さは１０〜１５ｍで、ロープには長さ７０mmの係止ピンが１０〜１５ｃｍ間隔で係止されている。
【００２２】
図はロープの巻き付け状態を説明するので、係止ピンは示されていない。例えば、ロープ２０−１の端部２０ａを係止凹部５の最内側のもの５−１に係合（引っ掛け）し、巻胴２の外周２ａに軸方向に並べつつ巻き付け、二重、三重に巻き付け、次のロープ２０−２の端部２０ａを前記凹部５−１の外側の係止凹部５−２に係合し、ロープ２０−２を、既に巻き付けたてあるロープ２０−１の最外周の外側に巻き付ける。このように複数本のロープをリール１の巻胴２周に外周方向の積層しつつ巻き回す。
【００２３】
図５は、係止ピンを係止したロープを巻胴２に巻き付ける状態の説明図で、（ａ）は巻胴周の軸方向１段目、２段目の巻き回状態の説明図、（ｂ）は３段目の巻き回状態の説明図、（ｃ）は４段目の巻き回状態の説明図である。
（ａ）に示すように、ロープ２０には、前記したように１０〜１５ｃｍ間隔で係止ピン３０が係止されている。
係止ピン３０は可撓性のある樹脂で成形されている。係止ピン３０は、実施例では軸部３１の両端部に∠状の尖鋭な係止部３２，３２が貫通して係止されており、軸部３１の中間部に設けたハ字形の抜け止め片３３，３３間にロープ２０は臨み、ロープに係止ピン３０を抜け止め、係止している。
【００２４】
前記したように、ロープ２０の端部を係止凹部５の引っ掛けて係止、保持させ、係止ピン３０を貫通、係止したロープをリールの巻胴２の外周２ａに巻き付ける。（ａ）は最も最初の段階で、ロープ２０のこの部分２０Ａは巻胴外周２ａに巻き付け、この状態ではロープ２０Ａの両側に係止ピン３０の両端部の係止部３２，３２が直線状に延びている。
この軸方向の後方に、隣接してロープ２０の次の部分２０Ｂの係止ピン３０係止部分が臨む。これを矢印のように巻胴外周２ａに巻き付ける。この際、ロープ２０Ｂは巻き付けられているロープ部分２０Ａのこの側に位置する係止ピンの図の右半部上に乗る。この状態は（ｂ）に示す通りである。
【００２５】
この状態では、（ｂ）に示すようにロープ２０Ａの右半部に突出した係止ピン３０の右半部は先端部を含む先部が巻胴外周２０ａに倣って平行となるように撓み、ロープ２０Ｂを受け入れる。
一方、ロープ２０Ｂの係止ピン３０の左半部は、ロープ２０Ａに乗り上げ、上方に撓む。
【００２６】
次にロープ部分２０Ｃがロープ部分２０Ｂの右側に矢印のように巻胴外周に巻き付くように臨み、更に（ｃ）に示すようにロープ部分２０Ｃの右側に次のロープ部分２０Ｄが臨むこととなり、この際、隣接するロープ部分に臨む係止ピンの一方の半部は、一方の下側に撓んで潜り込み、係止ピンの他方の半部は、他方の上側に撓んで乗り上げ、これを反復して胴部２周に係止ピン付きロープは巻き回される。
ロープ２０Ａ〜２０Ｄ、更にはこれに連続するロープ部分が一巻きした後、２重目のロープが巻き付けられる、この状態は図６に示す通りで、係止ピン３０はロープ２０の径方向に横断するように保持され、ロープ部分が積層されても、係止ピンのロープから突出した部分は上下に撓むだけで、係止ピンを傷めることはない。
【００２７】
図６は、係止ピン３０とリール１の円環体７との関係を示す要部拡大説明的断面図である。
リール１の巻胴２の外周２ａに係止ピン３０…を係止したロープ２０を巻き付け、軸方向にロープ２０の係止ピン３０の係止部を並べ、且つ外周に積層して巻き付けるものであるが、ロープ２０の係止ピン係止部の両最外側の２０Ｅ…のものは、円環体７の内端部７ｃに当たって規制されており、最外側のロープ２０Ｅ…から外方に突出する係止ピンの先端部を含む突出量Ｗ４は、円環体７の本体７ａの外側縁７ｂから前記した係止凹部９の軸方向突出量（円環体７の係止凹部の底の部分）までの長さＷ３と同じか、これよりも少なく設定している。
【００２８】
これにより、ロープに係止された係止ピンの最外側のものの軸方向に突出する部分は、」円環体７の係止凹部９の底部分よりも軸方向内側となり、リールを横倒しして置いたり、積層、段積みしても、リール軸方向最外側の係止ピンのこの側の延出部は床や他のリールに干渉することが無く、係止ピンを保護することができる。
【００２９】
図７は、リール１にロープを自動的に巻き回す巻き取り装置の一例を示す説明図である。
巻き回装置４０は、ポスト４０ａの上部に巻き取り軸４１ａを有する巻き回部材４１を備え、巻き回部材４１はリール１の放射リブ４の一部を支持する係止部４１ａを有するアームを備え、巻き取り軸４１ａにリール１の円筒状の芯部材３を嵌合し、巻き取り軸４１ａはモータ４２、ベルト機構４３で回転、駆動される。
これに代え、手動で巻き取り軸を回転させても良い。
【００３０】
図８は、ロープ２０に係止ピン３０…を係止、セットする装置の説明的斜視図である。
４０は前記した自動巻き取り装置で、ロープ２０に係止ピン３０を係止させる（自動ピンセッター）自動ピンセット装置１３１で、係止ピンをロープに係止させ、係止ピンは、例えば帯状に形成されたロール状係止ピン１３０を回転自在に保持させ、セット装置１３１に送り込み、係止ピンをロールから外し、ロープに係止させ、これを自動巻き取り装置４０で巻き取り、前記したように胴部に係止ピン付きロープを巻き取る。
【００３１】
係止ピン付きロープを巻き取ったリールは、複数個胴部を縦向きにして積層、段積みして収納、ストックすることができる。
図３に示すように、リールＡを図の状態から横向きとして胴部の軸方向が縦向きになるように配置し、この上に次のリールＢを積層することができる。
この際、リールの円環体７の移送をズラせ、一方の円環体の係止凹部９…に、他方の円環体の凸部８を係合（嵌合）する。これにより、円環体７は、相互に凹凸係合し、横ズレを防止すること出来るとともに、複数個のリールを段積みしたり、横方向に並べて収納する際、凹凸部の係合で複数個のリールの全体の軸方向長さが短くなる。
【００３２】
図９は、帆立貝の耳吊り、係止作業の一例を示す説明的斜視図である。
リール１を横向きにして支持５１に載置し、支持台５１の縦向き支軸等にリールを回転自在に支持させる。
作業者Ｍは椅子に腰掛けて係止ピン３０…付きロープを繰り出し、作業者Ｍは、作業台５０上の耳片に穿孔した帆立貝５３を、該耳片の穿孔部を介して手作業で係止ピン３０の両端部に取り付け、係止する。
帆立貝係止後のロープは収納ボックス５２等に収納しておく。
爾後、ロープを海上に運び、海中に垂らして養殖を行う。
【産業上の利用可能性】
【００３３】
本考案に係る帆立貝係止ピン付きロープの巻き取りリールは、養殖帆立貝のロープへの取り付け作業に好適である。
【図面の簡単な説明】
【００３４】
【図１】本考案に係るリールの全体斜視図である。
【図２】本考案に係るリールの正面図である。
【図３】本考案に係るリールの縦断側面図である。
【図４】リールの巻胴の外周にロープを巻き付けた状態を説明する要部拡大縦断側面図である。
【図５】係止ピンを係止したロープを巻胴２に巻き付ける状態の説明図で、（ａ）は巻胴周の軸方向１段目、２段目の巻き回状態の説明図、（ｂ）は３段目の巻き回状態の説明図、（Ｃ）は４段目の巻き回状態の説明図である。
【図６】係止ピンとリールの円環体との関係を示す要部拡大説明的断面図である。
【図７】リールにロープを自動的に巻き回する巻き取り装置の一例を示す説明図である。
【図８】ロープに係止ピンを係止、セットする装置の説明的斜視図である。
【図９】帆立貝の耳吊り、係止作業の一例を示す説明的斜視図である。
【符号の説明】
【００３５】
１…帆立貝係止ピン付きリール  、２…巻胴  、  ３…芯材、  ４…放射リブ、  ５…係止部、  ７…円環体、  ８…凸部、  ９…凹部。
【図１】
0003114450.tif 000003
【図２】
0003114450.tif 000004
【図３】
0003114450.tif 000005
【図４】
0003114450.tif 000006
【図５】
0003114450.tif 000007
【図６】
0003114450.tif 000008
【図７】
0003114450.tif 000009
【図８】
0003114450.tif 000010
【図９】
0003114450.tif 000011